(57)【要約】【課題】データを傍受された場合であっても、秘匿情報データを含んだデータとして認識されにくいデータを提供すること。【解決手段】第１の情報処理装置１は、画像データ選択部１５１と、高周波成分特定部１５２と、データ置換部１５３と、を備える。画像データ選択部１５１は、マルチメディアデータを取得する。高周波成分特定部１５２は、画像データ選択部１５１から取得されたマルチメディアデータから、所定の波長成分に対応する領域を特定する。データ置換部１５３は、高周波成分特定部１５２により特定された領域に、秘匿性を有する秘匿情報データを埋め込む。【選択図】図５
2012189869.tif 000002
【特許請求の範囲】
【請求項１】
マルチメディアデータを取得するデータ取得部と、
前記データ取得部から取得された前記マルチメディアデータから、所定の波長成分に対応する領域を特定するデータ特定部と、
前記データ特定部により特定された領域に、秘匿性を有する秘匿情報データを埋め込むデータ埋込部と、を備えることを特徴とするデータ作成装置。
【請求項２】
前記秘匿情報データを暗号化するデータ暗号化部を備えることを特徴とする請求項１に記載のデータ作成装置。
【請求項３】
前記マルチメディアデータを再生することにより、取得可能となる情報に、暗号化されたデータの復号キー情報を埋め込む復号データ埋込部を備え、
前記データ暗号化部は、前記復号キー情報を、暗号化を解除する復号キーとなるように暗号化することを特徴とする請求項２に記載のデータ作成装置。
【請求項４】
前記データ暗号化部は、前記復号キー情報をパスワードにより構成し、
前記復号データ埋込部は、前記マルチメディアデータの再生により、前記パスワードが再生されるように前記復号キー情報を埋め込むことを特徴とする請求項３に記載のデータ作成装置。
【請求項５】
前記データ取得部は、所定の送信条件に対応して、取得するマルチメディアファイルを変更することを特徴とする請求項１から４のいずれか１項に記載のデータ作成装置。
【請求項６】
前記マルチメディアデータは、音声データ、動画データ又は画像データにより構成されることを特徴とする請求項１から５のいずれか１項に記載のデータ作成装置。
【請求項７】
請求項１から６のいずれか１項に記載の前記データ作成装置により作成された前記マルチメディアデータに埋め込まれた前記秘匿情報データを抽出するデータ抽出装置であって、
前記データ作成装置から前記マルチメディアデータを取得するマルチメディアデータ取得部と、
前記マルチメディアデータ取得部により取得した前記マルチメディアデータのうち、所定の波長成分に対応する領域からデータを抽出するデータ抽出部と、を備えることを特徴とするデータ抽出装置。
【請求項８】
マルチメディアデータを取得するデータ取得ステップと、
前記データ取得ステップの処理により取得された前記マルチメディアデータから、所定の波長成分に対応する領域を特定するデータ特定ステップと、
前記データ特定ステップの処理により特定された領域に、秘匿性を有する秘匿情報データを埋め込むデータ埋め込みステップと、を含むことを特徴とするデータ作成方法。
【発明の詳細な説明】
【技術分野】
【０００１】
秘匿情報データを含んだデータを作成するデータ作成装置及び当該データから秘匿情報データを抽出するデータ抽出装置、並びにデータ作成方法に関する。
【背景技術】
【０００２】
従来より、機密情報等の秘匿性の高いデータ（秘匿情報データ）は、情報の漏洩を考慮して、専用回線やＶＰＮ（Ｖｉｒｔｕａｌ  Ｐｒｉｖａｔｅ  Ｎｅｔｗｏｒｋ）のような安全性が確保できる回線でのやり取り（送受信）が行われている。しかし、実際には、秘匿情報データは、インターネット等のネットワーク回線を利用して、データのやり取りを行うことがあり、その場合には、データを暗号化して送受信される（特許文献１）。
【先行技術文献】
【特許文献】
【０００３】
【特許文献１】特開２００２−１６４８７８号公報
【発明の概要】
【発明が解決しようとする課題】
【０００４】
特許文献１に記載の技術においては、例えば、ＰＧＰ（Ｐｒｅｔｔｙ  Ｇｏｏｄ  Ｐｒｉｖａｃｙ）等を利用して、暗号化した機密情報データのやり取りを行った場合には、通常であれば拡張子が「．ｐｇｐ」となるファイルが添付されることになり、秘匿情報データのやり取りをしていることを、トラフィックを監視している攻撃者等の他者に知られてしまう。
【０００５】
また、仮に拡張子を変更した場合でも、ファイルの構造により、特定の暗号方式のファイルであることがわかってしまう。その結果、その暗号方式に脆弱性等が存在している場合には、秘匿情報が漏洩してしまう可能性がある。
【０００６】
さらに、例えば、ファイルの末尾に秘匿情報データを付加することで画像等のファイルに秘匿情報データを追加する方法もあるが、こちらも、ファイルの構成を利用したものであり、こちらも、ファイルの構成を判定すれば、判別が可能となる。
【０００７】
そこで、本発明は、上述した問題に鑑みてなされたものであって、データを傍受された場合であっても、秘匿情報データを含んだデータとして認識されにくいデータを作成するデータ作成装置及び当該データから秘匿情報データを抽出するデータ抽出装置、並びにデータ作成方法を提供することを目的とする。
【課題を解決するための手段】
【０００８】
本発明のデータ作成装置は、上述したような問題に鑑みてなされたものであって、マルチメディアデータを取得するデータ取得部と、前記データ取得部から取得された前記マルチメディアデータから、所定の波長成分に対応する領域を特定するデータ特定部と、前記データ特定部により特定された領域に、秘匿性を有する秘匿情報データを埋め込むデータ埋込部と、を備えることを特徴とする。
【０００９】
また、上記データ作成装置は、前記秘匿情報データを暗号化するデータ暗号化部を備えることが好ましい。
【００１０】
また、上記データ作成装置は、前記マルチメディアデータを再生することにより、取得可能となる情報に、暗号化されたデータの復号キー情報を埋め込む復号データ埋込部を備え、前記データ暗号化部は、前記復号キー情報を、暗号化を解除する復号キーとなるように暗号化することが好ましい。
【００１１】
また、上記データ作成装置は、前記データ暗号化部は、前記復号キー情報をパスワードにより構成し、前記復号データ埋込部は、前記マルチメディアデータの再生により、前記パスワードが再生されるように前記復号キー情報を埋め込むことが好ましい。
【００１２】
また、上記データ作成装置は、前記データ取得部は、所定の送信条件に対応して、取得するマルチメディアファイルを変更することが好ましい。
【００１３】
また、上記データ作成装置は、前記マルチメディアデータは、音声データ、動画データ又は画像データにより構成されることが好ましい。
【００１４】
また、別の本発明のデータ抽出装置は、上記データ作成装置により作成された前記マルチメディアデータに埋め込まれた前記秘匿情報データを取得するデータ取得装置であって、前記データ作成装置から前記マルチメディアデータを取得するマルチメディアデータ取得部と、前記マルチメディアデータ取得部により取得した前記マルチメディアデータのうち、所定の波長成分に対応する領域からデータを抽出するデータ抽出部と、を備えることを特徴とする。
【００１５】
また、別の本発明のデータ作成方法は、マルチメディアデータを取得するデータ取得ステップと、前記データ取得ステップの処理により取得された前記マルチメディアデータから、所定の波長成分に対応する領域を特定するデータ特定ステップと、前記データ特定ステップの処理により特定された領域に、秘匿性を有する秘匿情報データを埋め込むデータ埋め込みステップと、を含むことを特徴とする。
【発明の効果】
【００１６】
データを傍受された場合であっても、秘匿情報データを含んだデータとして認識されにくいデータを提供することができる。
【図面の簡単な説明】
【００１７】
【図１】本発明に係るデータ送受信システムの概要を示す図である。
【図２】データ送受信システムの基本的構成を示すブロック図である。
【図３】データ送受信システムにおけるデータの送受信を示す図である。
【図４】ＪＰＥＧ方式による画像データの圧縮工程の一例を示した模式図である。
【図５】データ送受信システムの第１の情報処理装置及び第２の情報処理装置の機能的構成を示す機能ブロック図である。
【図６】秘匿情報データの復号化の一例を示す模式図である。
【図７】第１の情報処理装置での送信データの生成から第２の情報処理装置２での秘匿情報データの表示までの流れを示すフロー図である。
【発明を実施するための形態】
【００１８】
以下、本発明に係るデータ送受信システムＳの好適な実施形態の一例について図面を参照しながら説明する。
【００１９】
まず、データ送受信システムＳの概要について、図１を用いて説明する。図１は、本発明に係るデータ送受信システムＳの概要を示す図である。
【００２０】
データ送受信システムＳは、図１に示すように、第１の情報処理装置１（データ作成装置）と、第２の情報処理装置２（データ抽出装置）と、を備える。第１の情報処理装置１及び第２の情報処理装置２は、インターネットＩＮを介して、互いにデータを送受信可能に構成される。なお、本実施形態においては、第１の情報処理装置１から第２の情報処理装置２へデータを送信し、第２の情報処理装置２で受信したデータをユーザが閲覧する例について説明する。
【００２１】
本実施形態のデータ送受信システムＳでは、送信者の操作により、第１の情報処理装置１から第２の情報処理装置２へ秘匿性の高いデータを送信する。そして、データ送受信システムＳでは、第１の情報処理装置１から送信されたデータを受信した第２の情報処理装置２において、データを受信者が閲覧する。
なお、本実施形態においては、例えば、企業の機密情報等の送信先以外の者には閲覧をさせたくないデータである秘匿性の高いデータの一例として、ログインに用いるＩＤやパスワード等を秘匿情報として送信し、受信者が当該秘匿情報を閲覧する。データ送受信システムＳでは、秘匿情報を有するデータ（以下、秘匿情報データという。）の送受信が行われる。
【００２２】
次に、データ送受信システムＳの第１の情報処理装置１及び第２の情報処理装置２の基本的構成について、図２を用いて説明する。図２は、データ送受信システムＳの基本的構成を示すブロック図である。
【００２３】
第１の情報処理装置１は、図２に示すように、第１の表示部１１と、第１の操作部１２と、第１の記憶部１３と、第１の送受信部１４と、第１のＣＰＵ（Ｃｅｎｔｒａｌ  Ｐｒｏｃｅｓｓｉｎｇ  Ｕｎｉｔ）１５と、を備え、パーソナルコンピュータとして構成される。
【００２４】
第１の表示部１１は、例えば、ＬＣＤ（Ｌｉｑｕｉｄ  Ｃｒｙｓｔａｌ  Ｄｉｓｐｌａｙ）等により構成され、各種データ等の表示を行う。
第１の操作部１２は、例えば、キーボード、マウス等で構成され、ユーザにより操作させることにより各種命令を入力する。
第１の記憶部１３は、アプリケーション等の各種データ等を記憶する。
第１の送受信部１４は、インターネットＩＮに接続され、外部装置（本実施形態においては、第２の情報処理装置２）とデータの送受信を行う。
第１のＣＰＵ１５は、例えば、ユーザによる第１の操作部１２への操作を受けて、第１の表示部１１、第１の記憶部１３、第１の送受信部１４等の制御を行う。
【００２５】
第２の情報処理装置２は、図２に示すように、第１の情報処理装置１と同様に、第２の表示部２１と、第２の操作部２２と、第２の記憶部２３と、第２の送受信部２４と、第２のＣＰＵ２５と、を備え、パーソナルコンピュータとして構成される。
【００２６】
第２の表示部２１は、例えば、ＬＣＤ等により構成され、各種データ等の表示を行う。
第２の操作部２２は、例えば、キーボード、マウス等で構成され、ユーザにより操作させることにより各種命令を入力する。
第２の記憶部２３は、アプリケーション等の各種データ等を記憶する。
第２の送受信部２４は、インターネットＩＮに接続され、外部装置（本実施形態においては、第１の情報処理装置１）とデータの送受信を行う。
第２のＣＰＵ２５は、例えば、ユーザによる第２の操作部２２への操作を受けて、第２の記憶部２３、第２の送受信部２４、第２の表示部２１等の制御を行う。
【００２７】
以上のように構成されるデータ送受信システムＳでは、秘匿情報データの送受信に際して、他者にデータを傍受された場合であっても、傍受されたデータから秘匿情報が含まれていることを察知されないようなデータを送受信することができる機能を有する。
【００２８】
次に、上述した機能を発揮するデータ送受信システムＳの送受信について、図３を用いて説明する。図３は、データ送受信システムＳにおけるデータの送受信を示す図である。
【００２９】
本実施形態のデータ送受信システムＳにおける秘匿情報データの送受信は、図３に示すように、例えば、画像データ、動画データ、音声データ等のマルチメディアデータを送受信することにより行われる（図中、マルチメディア［画像／動画／音声］）。
【００３０】
データ送受信システムＳにおいては、送信側（第１の情報処理装置１）において、送受信される秘匿情報データを含んだマルチメディアデータ（以下、搬送データともいう。）を生成する（図中、搬送データ［画像／動画／音声］＋［秘匿情報］）。
秘匿情報データを含んだマルチメディアデータ（搬送データ）の生成は、マルチメディアデータのうち高周波成分の領域に秘匿情報データを置き換えることにより行う。
【００３１】
生成した秘匿情報データを含んだマルチメディアデータ（搬送データ）は、送信側（第１の情報処理装置１）により、インターネットＩＮを介して、受信側（第２の情報処理装置２）に送信される。
【００３２】
送信側から送信された秘匿情報データを含んだマルチメディアデータ（搬送データ）を受信した受信側は、高周波成分に対応する領域からデータを抽出して、秘匿情報データを取り出す。秘匿情報データを取り出した受信側では、秘匿情報データの閲覧等の利用に供する。
【００３３】
このようにデータの送受信が行われるデータ送受信システムＳにおいては、インターネットＩＮを介してデータを送受信しているために、データが他の者（傍受側）に傍受される可能性がある。
【００３４】
しかし、仮に、秘匿情報データを含んだマルチメディアデータ（搬送データ）が傍受された場合でも、データ送受信システムＳにおいて送受信される秘匿情報データを含んだマルチメディアデータ（搬送データ）からは、秘匿情報データが含まれていることを判断されることがない。
【００３５】
搬送データの判断に当たっては、傍受側（他の情報処理装置）では、秘匿情報データを含んだマルチメディアデータ（搬送データ）を再生しても、通常のマルチメディアデータと遜色ない状態で再生されるために、秘匿情報データを含んだデータであるとは判断されず、単なるマルチメディアデータとして判断される。また、傍受側（他の情報処理装置）では、搬送データのデータ構造を解析しても、マルチメディアデータ部分以外のデータの末尾等は、通常のマルチメディアデータと同様のデータ構成であるために、秘匿情報データを含んだデータであるとは判断されず、単なるマルチメディアデータとして判断される。
【００３６】
したがって、データ送受信システムＳを利用して、秘匿情報データの送受信を行うユーザは、データの傍受を懸念することなく、安心してデータの送受信を行うことができる。
【００３７】
次に、データ（秘匿情報データを含んだマルチメディアデータ）の作成について、詳述する。なお、以下の説明は、マルチメディアデータの一例として、画像データを用いた場合の例について説明する。
【００３８】
本実施形態のデータ送受信システムＳでは、秘匿情報データを含んだ画像データ（搬送データ）の作成に当たっては、マルチメディアを圧縮する技術を利用して行われる。本実施形態においては、ＪＰＥＧ方式により画像データを圧縮する技術を利用する。ＪＰＥＧ（Ｊｏｉｎｔ  Ｐｈｏｔｏｇｒａｐｈｉｃ  Ｅｘｐｅｒｔｓ  Ｇｒｏｕｐ）方式による画像データの圧縮は、画像データ内の低周波成分の領域のデータ量を削減し、高周波成分の領域を削除することにより行われる。したがって、本実施形態のデータ送受信システムＳでは、画像データの圧縮時に削除される高周波成分の領域に、秘匿情報データを置き換えることにより行われる。
【００３９】
秘匿情報データの置き換えに係るＪＰＥＧ方式による画像データの圧縮工程を、図４を用いて説明する。図４は、ＪＰＥＧ方式による画像データの圧縮工程の一例を示した模式図である。なお、以下の非圧縮の画像データをＪＰＥＧ方式で圧縮する説明においては、説明の便宜上、画像データの一部の領域（８×８画素）について説明する。したがって、画像の圧縮は、領域毎に以下の圧縮の方法が適用されて、全体として１つの圧縮された画像データが作成されることになる。
【００４０】
具体的には、データ送受信システムＳにおいては、例えば、図４に示すように、非圧縮状態の画像データに、離散コサイン変換（ＤＣＴ：Ｄｉｓｃｒｅｔｅ  Ｃｏｓｉｎｅ  Ｔｒａｎｓｆｏｒｍ）を行い、画像の信号である離散信号を周波数信号へ変換する。その結果、画像データは、図４（ａ）に示すように、その画像の周波的な特徴を表すＤＣＴ係数に変換される。このように、画像データは、ＤＣＴ係数に表されることにより、領域内における周波数成分の度合い（高周波成分、低周波成分等）により表されることになる。
【００４１】
次に、図４（ｂ）に示すような各画素の対応する量子化テーブルを用いて、図４（ｃ）に示すような量子化データを生成する。量子化データの生成は、図４（ａ）に示すＤＣＴ係数を、ＤＣＴ係数に対応する画素の量子化テーブルの値で割ることにより算出される。すなわち、量子化データの値は、各画素が量子化テーブルの値の何倍であるかを四捨五入した整数値で求められる。なお、図４（ｃ）に示す各画素の値は、数値が低いほど、高周波成分寄りであり、数値が高いほど、低周波成分寄りとなる。
【００４２】
次に、画像データにおいては、図４（ｄ）に示すように、逆量子化データを生成する。逆量子化データは、図４（ｃ）に示す量子化データと、図４（ｂ）に示す量子化データの画素に対応した量子化テーブルを掛け合わせることにより算出される。算出の結果、画像データにおいては、「０」の値となった画素が削除の対象となり、データ容量が削減されて、データの圧縮が行われる。
【００４３】
データ送受信システムＳにおいては、画像データにおいて、「０」の値となる各画素に秘匿情報データを置き換える。
【００４４】
次に、上述したような機能を発揮するためのデータ送受信システムＳの機能的構成について、図５を用いて説明する。図５は、データ送受信システムＳに係る第１の情報処理装置１及び第２の情報処理装置２の機能的構成を示す機能ブロック図である。
【００４５】
第１の情報処理装置１は、図５に示すように、第１のＣＰＵ１５に、画像データ選択部１５１（データ取得部）と、高周波成分特定部１５２（データ特定部）と、データ置換部１５３（データ埋込部）と、を有する。
【００４６】
第１の記憶部１３には、さらに、画像データ（マルチメディアデータ）と、量子化テーブルデータと、秘匿情報データと、を記憶する。
【００４７】
画像データ選択部１５１は、第１の記憶部１３に記憶されている画像データを選択する。第１の記憶部１３に複数の画像データが記憶されている場合には、画像データ選択部１５１は、例えば、扱う秘匿情報、送信先、送信時間等に対応付けて、１つの画像データが選択される。
【００４８】
高周波成分特定部１５２は、画像データのうち高周波成分の領域を特定する。この高周波成分特定部１５２は、ＤＣＴ部１６１と、量子化データ生成部１６２と、逆量子化データ生成部１６３と、画素特定部１６４とを有する。
【００４９】
ＤＣＴ部１６１は、離散コサイン変換を行い、画像データの信号である離散信号をＤＣＴ係数に変換する（離散コサイン変換：ＤＣＴ）。具体的には、ＤＣＴ部１６１は、画像データの信号である離散信号を図４（ａ）に示すようなＤＣＴ係数に変換する。
【００５０】
量子化データ生成部１６２は、ＤＣＴ部１６１により変換された画像のＤＣＴ係数を、第１の記憶部１３に記憶される量子化テーブルに基づいて、量子化データを生成する。具体的には、量子化データ生成部１６２は、図４（ａ）に示すＤＣＴ係数を図４（ｂ）に示す量子化テーブルに基づいて、図４（ｃ）に示すような量子化データを生成する。
【００５１】
逆量子化データ生成部１６３は、量子化データ生成部１６２により生成された量子化データの各画素に対応する量子テーブルの値を積算することにより、画素毎に逆量子化データを生成する。具体的には、逆量子化データ生成部１６３は、図４（ｃ）に示す量子化データを、図４（ｂ）に示す量子化テーブルに基づいて、図４（ｄ）に示すような逆量子化データを生成する。
【００５２】
画素特定部１６４は、逆量子化データ生成部１６３により生成された逆量子化データの値のうち、例えば、所定の値以下の画素を特定する。具体的には、画素特定部１６４は、図４（ｄ）において、「０」の値の画素を特定する。
【００５３】
データ置換部１５３は、画素特定部１６４により特定された画素の領域と、秘匿情報データを置換する。具体的には、データ置換部１５３は、画素特定部１６４により特定された図４（ｄ）に示す「０」の値の場所に、秘匿情報データを置換する。
【００５４】
このように構成される第１の情報処理装置１は、画像圧縮に用いられる手法により高周波成分の領域を特定し、当該高周波成分の領域に、秘匿情報データを埋め込む。
【００５５】
したがって、第１の情報処理装置１により生成されるデータは、画像の圧縮により、通常削除される領域に、送受信の目的となるデータが埋め込んであるために、表示される画像上においては、他にデータが埋め込まれていることが認識されることがない。また、データが埋め込まれる領域は、画像の圧縮により、通常削除される領域、つまり、当該領域を削除した場合であっても、目視した場合に表示される画像に影響がない領域であるために、他の者が画像を目視しても、画像データが画像データの目的以外のデータを送信する媒体として使用されていることが認識されることがない。
したがって、データ送受信システムＳにおいては、例えば、データの送受信の際に、データが他の装置に取得された場合であっても、単なる画像データとして、認識されるだけで、取得された画像データ内に送受信の目的となるデータが含まれていることが認識されることがない。データ送受信システムＳにおいては、安全性の高いデータを送受信することができる。
【００５６】
また、第１の情報処理装置１は、第１のＣＰＵ１５に、データ暗号化部１５４を備える。
データ暗号化部１５４は、秘匿情報データを暗号化する。
したがって、画像データに、送受信の目的となるデータが暗号化されているために、安全性が向上する。
【００５７】
また、第１の情報処理装置１は、第１のＣＰＵ１５に、復号データ埋込部１５５を備える。
復号データ埋込部１５５は、画像データを表示することにより、暗号化された秘匿情報データの復号キー情報を埋め込む。
データ暗号化部１５４は、復号データ埋込部１５５により埋め込まれる復号キー情報を、暗号化を解除する復号キーとなるように秘匿情報データを暗号化する。復号キー情報は、具体的には、例えば、パスワードである。
【００５８】
この場合、例えば、ユーザは、秘匿情報の復号化の際には、表示された画像データを確認して、表示された画像に記載されるパスワードを入力して、秘匿情報データを復号化したり、画像を解析して、パスワードの情報を取得して、秘匿情報データを復号化したりする。
このため、秘匿情報の取得においては、データ構造を解析しても復号キー情報を取得できないために、安全性が向上する。
【００５９】
上述した具体例について図６を用いて説明する。図６は、秘匿情報データの復号化の一例を示す模式図である。本例においては、秘匿情報データは、テキストデータ「これは秘匿情報です・・・」であり、秘匿情報データの復号キーは、パスワード「４９２１０９」となるように、事前に暗号化されている。なお、秘匿情報データの復号キーとなるパスワードは、１回のみ使用可能となる、いわゆるＯｎｅ  Ｔｉｍｅ  Ｐａｄとして構成してもよい。
【００６０】
具体的には、例えば、第２の情報処理装置２で秘匿情報の復号化を行う場合には、図６に示すように、データの復号キーとなる「４９２１０９」（所定のフォントの全角数字）が画像データに表示される。
【００６１】
この際、ユーザが、抽出されたデータの復号化を行う操作を行う。この際、ユーザは、画像を目視して、表示される復号キー「４９２１０９」を入力することで、抽出されたデータの復号化を行うことができる。
また、所定のフォントで表示されているために、画像解析により、復号キー情報を取得することができる。この場合、復号化をユーザの入力操作を介さずに自動化することができる。
【００６２】
また、本例では、画像解析により抽出可能な所定のフォントによる「４９２１０９」を復号キーとして表示したが、これに限られない。データとして抽出できないような難解な表示にすることにより、目視にのみ復号キーを把握可能に構成することにより、データを解析して、復号キーを抽出することが困難になる。その結果、さらに、データの安全性を高めることができる。
【００６３】
なお、本例においては、復号キー情報は、復号化に際して、直接的に入力することにより復号化可能なパスワードとして構成したがこれに限られない。復号キー情報は、間接的に復号化可能な情報でもよく、例えば、復号キー情報が記載されたサイトのＵＲＬ（Ｕｎｉｆｏｒｍ  Ｒｅｓｏｕｒｃｅ  Ｌｏｃａｔｏｒ）や復号キーを想起させるような連想情報であってもよい。連想情報とは、例えば、復号キーが「１００００」である場合には、連想情報「１００×１００＝？」や、復号キー「東京」である場合には「日本の首都は？」等、また、連想情報は、例えば、「送信者の年齢は？」等の送受信するユーザ間でのみ知りうる情報であってもよい。
【００６４】
また、第１の情報処理装置１において、第１の記憶部１３は、複数の画像データを記憶することが可能である。
この場合、画像データ選択部１５１においては、所定の送信条件に対応して、取得するマルチメディアファイルを変更する。所定の送信条件とは、例えば、送信先（送信相手）や送信時間等の条件である。
【００６５】
したがって、ユーザは、表示された画像を見ることで、送信相手や時間を判断することができる。
【００６６】
また、第１の情報処理装置１は、第１のＣＰＵ１５に、置換情報生成部１５６を備える。
置換情報生成部１５６は、データ置換部１５３により、画像データに埋めこまれた秘匿情報データの場所の情報である置換情報を生成する。
置換情報は、具体的には、実際に埋め込まれた画像の座表値でも、（高周波成分領域が特定されていない画像データの原画像であってもよい。
本実施形態においては、第１の情報処理装置１は、秘匿情報データが埋めこまれた画像データの他に、置換情報も合わせて第２の情報処理装置２に送信するように構成される。なお、本実施形態においては、秘匿情報データが埋めこまれた画像データ及び置換情報を第２の情報処理装置２に送信するように構成したがこれに限られず、秘匿情報データが埋めこまれた画像データのみを送信するように構成してもよい。
【００６７】
第２の情報処理装置２は、第２のＣＰＵ２５に、データ抽出部２５１と、データ復号化部２５２とを有する。
データ抽出部２５１は、例えば、第１の情報処理装置１により、インターネットＩＮを介して送信された秘匿情報データが埋め込まれた画像データを受信した場合には、画像データのうち、高周波成分に対応する領域からデータを抽出する。
データ復号化部２５２は、例えば、データ抽出部２５１によって抽出された秘匿情報データが暗号化されていた場合には、復号キーに基づいて、暗号化された秘匿情報データを復号化する。
第２の記憶部２３は、復号化された秘匿情報データを記憶する。
【００６８】
したがって、データ送受信システムＳにおいては、例えば、データの送受信の際に、データが他の装置に取得された場合であっても、単なる画像データとして、認識されるだけで、取得された画像データ内に送受信の目的となるデータが含まれていることが認識されることがない。
【００６９】
第１の情報処理装置１での秘匿情報データの作成から、第２の情報処理装置２での秘匿情報の表示までの動作について図７を用いて説明する。図７は、第１の情報処理装置１での送信データの作成から第２の情報処理装置２での秘匿情報データの表示までの流れを示すフロー図である。
【００７０】
ステップＳ１において、第１の情報処理装置１は、画像の高周波成分に秘匿情報を付与する。
画像の高周波成分に秘匿情報を付与するにあたり、第１の情報処理装置１（詳細には、高周波成分特定部１５２）においては、以下のような処理が行われる。
まず、ＤＣＴ部１６１は、図４（ａ）に示すように、画像データの信号である離散信号をＤＣＴ係数に変換する。次に、量子化データ生成部１６２は、図４（ａ）に示すＤＣＴ係数を図４（ｂ）に示す量子化テーブルに基づいて、図４（ｃ）に示すような量子化データを生成する。次に、逆量子化データ生成部１６３は、図４（ｃ）に示す量子化データを、図４（ｂ）に示す量子化テーブルに基づいて、図４（ｄ）に示すような逆量子化データを生成する。画素特定部１６４は、逆量子化データ生成部１６３により生成された逆量子化データの値のうち、所定の値（本実施形態においては、図４（ｄ）に示す「０」の値）以下の画素を特定する。その結果、画像データにおいては、画素における高周波成分が特定される。
第１の情報処理装置１においては、以上のような処理が行われる。
その後、データ置換部１５３は、画素特定部１６４により特定された画素の領域（本実施形態においては、図４（ｄ）に示す「０」の値の場所）と、秘匿情報データを置換する。なお、置換される秘匿情報データは、データ暗号化部１５４により、所定の復号キーにより復号可能に暗号化される。
【００７１】
ステップＳ２において、第１の情報処理装置１は、画像情報として送信する。詳細には、第１の送受信部１４は、ステップＳ１で生成した画像データを、インターネットＩＮを介して、第２の情報処理装置２に送信する。この際、第１の情報処理装置１においては、置換情報生成部１５６により生成された秘匿情報データが置換された場所の置換情報データ及び復号キー情報を送信するデータに添付する。
【００７２】
この際、例えば、傍受者が送信した画像データを取得して、画像データを解析した場合でも、画像のファイル構造上は、高周波成分を含んだ画像データであるため、単なる画像ファイルとして識別される。また、傍受者が画像を見ても、高周波成分であるために、識別することができない。このため、傍受者は、単なる画像データとして処理することになる。
【００７３】
ステップＳ３において、第２の情報処理装置２は、高周波成分に相当する画素のデータから復号化して秘匿情報を抽出する。
具体的には、第２の送受信部２４は、第１の情報処理装置１から送信されたデータ（暗号化された秘匿情報が埋め込まれた画像データ）を受信する。
その後、データ抽出部２５１は、添付されている置換情報に基づいて、画像データから暗号化された秘匿情報データを抽出する。
次に、データ復号化部２５２は、添付される復号キー情報に基づいて、データ抽出部２５１により抽出された暗号化された秘匿情報データを、復号化する。この際、第２の情報処理装置２により、表示される画像データから復号キーを取得して、取得した復号キーに基づいて、自動的にデータの復号化を行うように構成してもよい。このように構成することにより、ユーザの操作の手間を省くことができる。また、図６にしめすように、画像データに復号キーが埋めこまれている場合（画像として復号キー情報が表示される場合）には、ユーザは、第２の操作部２２を操作して、復号キーを入力することで、暗号化された秘匿情報を復号化することができる。
【００７４】
ステップＳ４において、第２の表示部２１は、秘匿情報を表示する。
したがって、データ送受信システムＳにおいては、安全性の高いデータを送受信することができる。
【００７５】
なお、本発明は、上述の実施形態に限定されるものではなく、本発明の目的を達成できる範囲での変形、改良等は本発明に含まれるものである。
【００７６】
また、上述した各実施形態では、１種類の画像データにより送受信を行うように構成したがこれに限られない。種々異なる画像データを用いることができ、例えば、送信先や送信時間に対応して、決まった画像データを送信するように構成することもできる。このように構成した場合には、ユーザは、データの管理を容易にすることができる。また、埋め込む秘匿情報の内容に合わせて埋め込む画像データを変えるように構成することもできる。
【００７７】
また、上述した実施形態においては、秘匿情報を埋め込むデータを画像データとして構成したが、これに限られない。秘匿情報を埋め込むデータは、出力したときに出力に影響を与えない周波成分を有しているマルチメディアデータであればよく、例えば、動画データや音声データとして構成してもよい。
【００７８】
また、上述した実施形態においては、秘匿情報データは、画像データの高周波成分領域に埋め込むように構成したが、これに限られない。秘匿情報データは、圧縮によりヒトに知覚に影響を与えず、データとして不要となる領域や冗長となる領域に埋め込むように構成してもよい。
【００７９】
また、上述した各実施形態においては、第２の情報処理装置２で閲覧を目的とするデータとして説明したがこれに限られない。送受信の目的となるデータは、受信先側で利用することを目的とするデータであればよい。
【００８０】
また、上述した各実施形態においては、データのやり取りをインターネットＩＮ等の通信を介して行なったが、これに限られず、例えば、外部メモリ等を介してデータの搬送を行ってもよい。
【００８１】
また、上述した各実施形態においては、第２の情報処理装置２で抽出した秘匿情報を、ユーザの閲覧のために、第２の表示部２１において表示するように構成したがこれに限られない。秘匿情報は、第２の情報処理装置２等で利用できればよい。
【符号の説明】
【００８２】
１        第１の情報処理装置（データ作成装置）
２        第２の情報処理装置（データ抽出装置）
２４      第２の送受信部（マルチメディアデータ取得部）
１５１    画像データ選択部（データ取得部）
１５２    高周波成分特定部（データ特定部）
１５３    データ置換部（データ埋込部）
１５４    データ暗号化部
１５５    復号データ埋込部
２５１    データ抽出部
【図１】
2012189869.tif 000003
【図２】
2012189869.tif 000004
【図３】
2012189869.tif 000005
【図４】
2012189869.tif 000006
【図５】
2012189869.tif 000007
【図６】
2012189869.tif 000008
【図７】
2012189869.tif 000009